(57)【要約】【課題】機構板に対する設置面積を小さくすることによって基板ボックスを臨ませるための窓孔を大きく形成することが可能なようにし、更に機構板の裏部品の成形や取付作業の簡略化を図り、更には球タンク内の球噛み，球詰りを防止する。【解決手段】球タンク８に景品球払出装置２３を一体に組み込んで形成され、球タンク８は上面が開口し、底部１８に長手方向に沿って断面凹形状の通路部１９が傾斜状に設けられると共に該通路部１９の下流端部に球出口２０が設けられ、また前記景品球払出装置２３は球出口２０に配置されるリードスクリュー２４と該リードスクリュー２４を回転させる駆動モータ２５とからなる。【選択図】図２
2007075646.tif 000002
【特許請求の範囲】
【請求項１】
景品球払出装置を一体に組み込んで形成され、球タンクは上面が開口し、底部に長手方向に沿って断面凹形状の通路部が傾斜状に設けられ、該通路部の下流端部が所要長さの底部を残した位置に設けられると共に該下流端部に球出口が設けられ、また前記景品球払出装置は球出口の外側であって前記底部の下側に配置されかつ通路部を流下するパチンコ球を１個ずつ球タンクから払い出すリードスクリューと該リードスクリューを回転させる駆動モータとからなり、リードスクリュー上方の底部には所要幅の切欠開口を設けたことを特徴とするパチンコ機の球タンク。
【発明の詳細な説明】
【技術分野】
【０００１】
本発明は、パチンコ機の上方の補給経路から補給されたパチンコ球を貯留する球タンクに関するものである。
【背景技術】
【０００２】
通常、パチンコ機は遊技盤の裏面に合成樹脂製の機構板が開閉可能に装着されており、該機構板にはその上部に周知のように球タンク，該球タンクの底部に設けられた落下口に連通しその下方に位置するタンクレール，該タンクレールの流下端にカーブレールを介して連通する景品球払出装置等がそれぞれ所定位置に装着されており、また機構板のほぼ中央部に窓孔が開設され、該窓孔内に遊技状態を制御するための回路基板を収納した基板ボックスが配設されている。
【０００３】
ところで、最近のパチンコ機にあっては遊技内容の高度化・複雑化に伴って大きな回路基板が必要とされるようになってきており、このため回路基板を収納する基板ボックスも大型化されて機構板の窓孔部分に装着することが困難な状態になりつつある。このようなことは機構板の窓孔を大きくすることによって簡単に解決できると考えられるが、機構板には上記した球タンク，タンクレール，景品球払出装置等の裏部品が装着されている関係上、窓孔の大きさも限られたものとなって該窓孔を大きくすることは無理であった。
【発明の開示】
【発明が解決しようとする課題】
【０００４】
そこで、本発明は上記課題を解決すべくなされたもので、底部に通路部を設けると共に該通路部の球出口に景品球払出装置を一体に組み込むことにより、従来のタンクレールを不要とすると共に景品球払出装置を所定位置に設ける必要をなくし、窓孔を要請に応え得る大きさにすると共に機構板の裏部品を簡素化してこれらの成形や組付作業の簡略化を図ることができ、しかも球タンク内での球噛み、球詰りを防止するようにしたパチンコ機の球タンクを提供することを目的とするものである。
【課題を解決するための手段】
【０００５】
かかる目的を達成するため、本発明に係るパチンコ機の球タンクは、景品球払出装置を一体に組み込んで形成される。球タンクは上面が開口し、底部に長手方向に沿って断面凹形状の通路部が傾斜状に設けられると共に該通路部の下流端部に球出口が設けられる。また、前記景品球払出装置は、球出口に配置されかつ通路部を流下するパチンコ球を１個ずつ球タンクから払い出すリードスクリューと、該リードスクリューを回転させる駆動モータとから構成される。駆動モータは入賞球の発生毎に駆動するように電気的に制御され、前記球タンクから払い出されたパチンコ球は、排出通路を介してパチンコ機前面の打球供給皿へ導かれる。このように、球タンクの底部に通路部を設けると共に該通路部の球出口に景品球払出装置を一体に組み込むようにしたので、従来のタンクレール及び景品球払出装置が不要となり、これにより窓孔を要請に応え得る大きさとすることができると共に機構板の裏部品が簡素化されそれらの成形や組付作業の簡略化が図られる。
【０００６】
また、通路部内に沿って基端部がリードスクリューの先端面のほぼ中心に固着される所要長さの球くずしバーを配設した構成としても良い。そこで、リードスクリューと共に球くずしバーが回転して通路部内及びその隣部に重なるパチンコ球が回転することとなり、これによりこれらパチンコ球の球くずしが起され、通路部及びその隣部での球噛みや球詰まり状態の発生を防止することができる。
【発明の効果】
【０００７】
以上、説明したことから明らかなように、本発明においては、球タンクにパチンコ球を整列して排出通路へ導くための通路部を形成し、しかも景品球払出装置を一体に組み込んで形成したものであるから、従来のパチンコ機のようにタンクレール，球ならし等が不要となり、更には景品球払出装置を所定位置に設ける必要がなくなって機構板に対するタンクの設置面積を小さくすることができ、その結果、基板ボックスを臨ませるための窓孔を大きく形成することができる。更に、球タンクを取り付けることで同時に景品球払出装置が取り付けられることとなり、これにより機構板の裏面に取り付けられる裏部品の成形や取付作業が簡略化されるという効果を有する。
【０００８】
また、通路部の下流端部を所要長さの底部を残した位置に設けると共に該下流端部に球出口を設け、リードスクリューを該底部の下側に配置し、該底部に所要幅の切欠開口を設けるようにしたので、切欠開口を介してリードスクリューの外周面に接するパチンコ球が回転し、これにより球タンク内に貯留されるパチンコ球の球噛みや球詰り状態の発生を防止することができる。
【発明を実施するための最良の形態】
【０００９】
以下に本発明に係るパチンコ機の球タンクの実施の形態を図面を参照して説明する。図１は本発明に係る球タンクが装着されたパチンコ機の裏面図であり、図中、１はパチンコ機の前面枠、２は前面枠１の後面に着脱自在に取り付けられる遊技盤であって、該遊技盤２の裏面には入賞球集合カバー３が配設されており、該カバー３の裏面に基板ボックス４が装着されている。この基板ボックス４には遊技盤２の表面に設けられた始動入賞口，可変表示装置，大入賞口等の動作を駆動制御するための回路基板が収容されている。
【００１０】
５は遊技盤２の裏面に開閉可能に装着される合成樹脂製の機構板である。この機構板５は遊技盤２の裏面に相対する板状部６を有し、この板状部６のほぼ中央に基板ボックス４を臨ませるための窓孔７が開設されている。窓孔７の上方であり、かつ板状部６の裏面には本発明に係る球タンク８が固着される。また、窓孔７の右側方に位置する板状部６裏面にはパチンコ機の前面に装着される打球供給皿（図示せず。）に連通する排出通路９と球タンク８に貯留されるパチンコ球を排出通路９へ導く誘導レール１０が配設される。また、窓孔７の下方の板状部６には入賞球集合部１１に集められた入賞球を１個ずつ排出処理する入賞球排出処理装置１２及びアウト球排出樋１３等の各種裏部品が設けられている。
【００１１】
図２は本発明に係る球タンク８の斜視図、図３は同分解斜視図、図４は同平面図、図５は図４のＷ−Ｗ線断面図、図６は図４のＸ−Ｘ線断面図をそれぞれ示す。次に図２ないし図６を参照して本発明に係る球タンク８の具体的な構造を説明する。球タンク８は機構板５に接する後側壁１４と該後側壁１４に対向する前側壁１５と左側壁１６及び右側壁１７と底部１８とによって上面が開口された長方形箱体８ａとして構成される。この長方形箱体８ａの底部１８の長さ方向のほぼ中央には断面凹形状の通路部１９が形成されている。また、通路部１９を除く長方形箱体８ａの底部１８はその長さ方向には傾斜しておらず、かつ長さ方向と直角方向には通路部１９に向かう傾斜がつけられている。
【００１２】
前記通路部１９は長方形箱体８ａの左側壁１６から右側壁１７に向けて漸次深くなるように下り傾斜状に形成されており、その下流端部は右側壁１７から所要長さの底部１８ａを残した位置に設けられると共に開口された球出口２０として形成される。そして、図５に示されるように前記誘導レール１０の上端が球出口２０に接続されるようになっている。また、通路部１９の内底面にはほぼ中央部から下流端部にかけて仕切壁２１が設けられており、該仕切壁２１によってパチンコ球が２列に整列しながら球出口２０に向けて流下するように球通路１９ａ，１９ｂが形成されている。前記仕切壁２１は図５に示されるように下流端方向に向けて漸次高くなるように形成されており、その下流端の高さはパチンコ球の直径より若干低くなるように形成されている。２２は補強用のリブである。
【００１３】
そして、前記球タンク８には景品球払出装置２３が一体に組み込まれる。該景品球払出装置２３は、電気的に制御され入賞球が入賞球排出処理装置１２で１個ずつ処理されるたびに作動して球タンク８内のパチンコ球を所定量払い出すようにしており、払い出されたパチンコ球は排出通路９を介してパチンコ機前面の打球供給皿に排出される。すなわち、景品球払出装置２３は、図３に示されるようにリードスクリュー２４と該リードスクリュー２４を回転させる駆動モータ２５とからなる。
【００１４】
リードスクリュー２４は、図４，５に示されるように通路部１９の球出口２０の外側であって底部１８ａの下側に先端面が通路部１９に臨むようにして配置される。これにより、図６に示されるようにリードスクリュー２４と両球通路１９ａ，１９ｂとの間にパチンコ球が摺り抜けられる空間Ｓ，Ｓが形成される。また、円筒体２６の外周表面には前記通路部１９内の最先端のパチンコ球を受ける突条２７を螺旋状に設けて形成されている。また、駆動モータ２５は右側壁１７から下方へ延設される突出片２８に固着され、駆動軸２９が下端縁の切欠凹部３０を介して前記円筒体２６の中心の軸孔３１に嵌挿されている。なお、前記リードスクリュー２４の突条２７は、該リードスクリュー２４が１回転することによって両球通路１９ａ，１９ｂの最先端のパチンコ球が突条２７間に入り保持されつつ誘導レール１０へ排出されるようにその螺旋形状が選ばれる。
【００１５】
しかして、上記のように構成される球タンク８には図示しないパチンコ機の上方の補給経路から補給されるパチンコ球が貯留されるが、これらパチンコ球は底部１８上面及び通路部１９内に滞留する。そこで、入賞球排出処理装置１２の入賞球検出器（図示せず。）が入賞球を検出すると、その検出信号に基づいて駆動モータ２５が回転を開始し、同時にリードスクリュー２４が回転する。このリードスクリュー２４は所定回数回転し、これにより両球通路１９ａ，１９ｂを流下するパチンコ球Ｂ，Ｂの内、最先端のパチンコ球Ｂ，Ｂが円筒体２６外周の突条２７間に入り保持されながら空間Ｓ，Ｓを通過して交互に外側へ運ばれ、以後同様にして所定数のパチンコ球Ｂが誘導レール１０に排出される。これら誘導レール１０に排出されたパチンコ球Ｂは排出通路９を介して打球供給皿に払い出されることとなる。
【００１６】
このように、本発明に係る球タンク８は、該球タンク８に貯留されるパチンコ球Ｂを整列して排出通路９へ導くための通路部１９を一体に形成すると共に景品球払出装置２３を一体に組み込んで形成したものであるから、従来のパチンコ機のように球タンクの下方に位置しパチンコ球を整列して景品球払出装置へ導くためのタンクレールや球ならし等が不要となり、しかも該景品球払出装置を所定位置に設ける必要がなくなり、その分図１に示されるように機構板５に対する窓孔７の上方と右側方の設置面積を小さくすることができて基板ボックス４を臨ませるための窓孔７を大きく形成することができる。また、通路部１９の形成によって球タンク８の容積が増大される。更に、球タンク８を取り付けることにより景品球払出装置２３も同時に取り付けられることとなるので、これにより機構板の裏部品の成形や取付作業の簡略化が図られる。
【００１７】
図７ないし図９はリードスクリュー２４の上方の底部１８ａにリードスクリュー２４の外周面にその軸方向に沿って１，２個のパチンコ球が乗って接し得る程度の横幅を有する切欠開口３２を設けたものである。そこで、図９に示されるように底部１８ａのパチンコ球Ｂは切欠開口３２内に入りリードスクリュー２４の円筒体２６の外周面に接触しており、所定量のパチンコ球を払い出すためリードスクリュー２４が回転するとき、前記円筒体２６の外周面に接触しているパチンコ球Ｂが回転させられる。これに伴い、これらパチンコ球Ｂと接触し積み重なる他のパチンコ球Ｂも回転することとなって球くずしが起されるので、球タンク８内での球噛みや球詰り状態の発生を防止することができる。
【００１８】
図１０ないし図１２は通路部１９内、詳しくは仕切壁２１に沿ってその上方に一端部がリードスクリュー２４の円筒体２６の先端面のほぼ中心に固着され、他端部が軸受部３４により軸支される所定長さの丸棒状の球くずしバー３３を水平に配設したものである。これにより、リードスクリュー２４の回転と共に球くずしバー３３が回転する。これに伴い、図１２に示されるように球くずしバー３３の一端部側に接する通路部１９内及びその隣部に重なるパチンコ球Ｂ、更には球くずしバー３３の外周面全体に接するパチンコ球Ｂも回転することとなって球くずしが起され、球通路１９ａ，１９ｂ内ではパチンコ球Ｂが整流されて流下し、正常なパチンコ球Ｂの払い出し動作が行なえるようになると共に球くずしバー３３の全長に亘り広く球タンク８内の球くずしが行なえる。よって、通路部１９及びその隣部での球噛みや球詰りが防止されることとなる。これは前記リードスクリュー２４では充分でないとき、すなわち球タンク８内いっぱいにパチンコ球Ｂが貯留されているとき、または通路部１９にのみパチンコ球Ｂが残りリードスクリュー２４上方の底部１８ａ上面にはパチンコ球Ｂが乗ってないときなどは効果的である。なお、前記軸受部３４の上流側は各球通路１９ａ，１９ｂを流下するパチンコ球Ｂ，Ｂの障害とならないように尖らしておくことが望ましい。
【００１９】
また、このような球くずしバーは、接触するパチンコ球Ｂが回転するのみではじかれるようなことがなく、これにより駆動モータ２５に余り負荷が加わらないので、例えば高速でパチンコ球Ｂを払い出すのに適している。
【００２０】
また、前記球くずしバー３３の外周面には間隔が広くしかも各球通路１９ａ，１９ｂのパチンコ球Ｂ，Ｂを球出口２０側へ送る螺旋状の僅かな高さの突条を設けるようにしても良い。これにより、各球通路１９ａ，１９ｂのパチンコ球Ｂ，Ｂを球出口側へ促す働きが有ると共に突条に接触するパチンコ球Ｂに回転及び僅かな振動が与えられることとなり、球くずし効果が一層高められる。また、前記螺旋状の突条の代りに僅かな高さの突起を複数設けるようにしても良い。この場合も前記接触するパチンコ球Ｂ，Ｂの回転及び僅かな振動が与えられ球くずし効果が一層高められる。
【００２１】
また、前記球くずしバー３３の他端部を図１３に示されるように軸受部３４で支持しないようにすれば、高速回転の場合は球くずしバー３３のフリーな他端部が多少ぶれてバイブレーション効果が得られ、これによっても充分な球くずし効果が得られる。
【００２２】
図１４は、図１３の球くずしバー３３の代りに通路部１９の上流側に向って突出する円錐形状の球くずしバー３３ａをリードスクリュー２４の先端面に水平に固着したものであり、この場合は球くずしバー３３ａの外周面の傾斜角度が各球通路１９ａ，１９ｂの内底面の傾斜角度とほぼ同一になるようにしてある。これにより、各球通路１９ａ，１９ｂ内で下流側、すなわちリードスクリュー２４に近い側及びその隣部のパチンコ球Ｂが球くずしバー３３ａに接触して回転するので、特に球詰りを起し易いこの付近での球くずしが行なえ、球噛みや球詰り状態の発生を防止できる。
【００２３】
また、図１５は通路部１９の球出口２０部位の内底面に下流側が低い段部３５を設け、通路部１９と誘導レール１０の内底面間に段差を設けるようにしたものである。これにより通路部１９の内底面の傾斜角度が緩くでき、各通路部１９ａ，１９ｂ内で球くずしバー３３に接触するパチンコ球が多くなるので、この分これらパチンコ球Ｂと接して回転するパチンコ球Ｂの数が増え、更に、段部３５を設けることによっても球くずし効果が得られ、これらが相乗的に働いて球くずし効果が一層高められる。
【００２４】
なお、前記球くずしバー３３，３３ａは図７ないし図９に示される球タンク８についても適用され、また図示は省略するが通路部１９の球通路が１条または３条の場合であっても本発明が適用できることは勿論である。
【図面の簡単な説明】
【００２５】
【図１】本発明が適用されるパチンコ機の裏面図。
【図２】本発明に係る球タンクの斜視図。
【図３】同分解斜視図。
【図４】同平面図。
【図５】図４におけるＷ−Ｗ線断面図。
【図６】図４におけるＸ−Ｘ線断面図。
【図７】他の実施の形態に係る球タンクの斜視図。
【図８】同横断正面図。
【図９】図８におけるＹ−Ｙ線断面図。
【図１０】他の実施の形態における球タンクの斜視図。
【図１１】同横断正面図。
【図１２】図１１のＺ−Ｚ線断面図。
【図１３】他の実施の形態に係る球タンクの横断正面図。
【図１４】他の実施の形態に係る球タンクの横断正面図。
【図１５】他の実施の形態に係る球タンクの横断正面図。
【符号の説明】
【００２６】
８            球タンク
１８，１８ａ  底部
１９          通路部
２０          球出口
２３          景品球払出装置
２４          リードスクリュー
２５          駆動モータ
Ｂ            パチンコ球
３２          切欠開口
３３          球くずしバー
【図１】
2007075646.tif 000003
【図２】
2007075646.tif 000004
【図３】
2007075646.tif 000005
【図４】
2007075646.tif 000006
【図５】
2007075646.tif 000007
【図６】
2007075646.tif 000008
【図７】
2007075646.tif 000009
【図８】
2007075646.tif 000010
【図９】
2007075646.tif 000011
【図１０】
2007075646.tif 000012
【図１１】
2007075646.tif 000013
【図１２】
2007075646.tif 000014
【図１３】
2007075646.tif 000015
【図１４】
2007075646.tif 000016
【図１５】
2007075646.tif 000017